(57)【要約】【課題】簡易な構造でありながら複数の底弁が同時に開くことのないタンクローリ車の底弁異常動作検出装置を提供する。【解決手段】タンクローリ車に設けられた底弁の開閉動作と連動するロッドの突出の有無をそれぞれ検出する複数の検出スイッチと、これら数の検出スイッチにより少なくとも二つ以上のロッドが突出していることを検出されたとき、底弁に異常があると判定する論理演算部とを備え、底弁に異常があると判定したとき、該電磁弁ボックスへ供給されるエアを遮断する遮断弁（電磁三方弁）を設けて構成する。【選択図】図２
2008174285.tif 000002
【特許請求の範囲】
【請求項１】
石油等の液体の輸送対象物をその種別毎にそれぞれ収容する複数のハッチと、
これらハッチの底部にそれぞれ設けられて、該ハッチに収容された前記輸送対象物をそれぞれ排出する複数の底弁と、
これら底弁にそれぞれ所定の管路を介してそれぞれ接続されて、該底弁を開閉駆動するエアを蓄えるエアタンクと、
複数の前記管路にそれぞれ介装されて、前記エアタンクに蓄えられたエアを複数の前記底弁に分配供給し、該底弁をそれぞれ開閉駆動する電磁弁ボックスと、
複数の前記底弁の開閉にそれぞれ連動して駆動され、前記ハッチの上方から突出するように位置付けられて、該底弁が開状態にあるときそれぞれ突出する複数のロッドと
を具備したタンクローリの底弁異常動作検出装置であって、
前記各ロッドの突出の有無をそれぞれ検出する複数の検出スイッチと、
前記複数の検出スイッチにより少なくとも二つ以上の前記ロッドが突出していることが検出されたとき、前記底弁の開閉状態に異常があると判定する論理演算部と
を備えることを特徴とするタンクローリの底弁異常動作検出装置。
【請求項２】
石油等の液体の輸送対象物をその種別毎にそれぞれ収容する複数のハッチと、
これらハッチの底部にそれぞれ設けられて、該ハッチに収容された前記輸送対象物をそれぞれ排出する複数の底弁と、
これら底弁にそれぞれ所定の管路を介して接続されて、該底弁を開閉駆動するエアを蓄えるエアタンクと、
複数の前記管路にそれぞれ介装されて、前記エアタンクに蓄えられたエアを複数の前記底弁に分配供給し、該底弁をそれぞれ開閉駆動する電磁弁ボックスと
を具備したタンクローリの底弁異常動作検出装置であって、
複数の前記管路にそれぞれ設けられて、前記底弁に供給されるエアの圧力が所定の圧力を超え、該底弁が開状態にあることを検出して出力する複数のエアスイッチと、
これらエアスイッチにより少なくとも二つ以上の底弁を開放するエアが供給されていることが検出されたとき、前記底弁の開閉状態に異常があると判定する論理演算部と
を備えることを特徴とするタンクローリの底弁異常動作検出装置。
【請求項３】
請求項１または２に記載のタンクローリの底弁異常動作検出装置であって、
さらに前記エアタンクから前記電磁弁ボックスにエアを供給する管路に介装されて、前記論理演算部が前記底弁の開閉状態に異常があると判定したとき、該電磁弁ボックスへ供給するエアを遮断する遮断弁を備えることを特徴とするタンクローリの底弁異常動作検出装置。
【請求項４】
前記遮断弁は、前記論理演算部が底弁の開閉状態に異常がないと判定したとき、前記エアタンクに蓄えられたエアを前記電磁弁ボックスに供給する一方、前記論理演算部が底弁の開閉状態に異常があると判定したとき、前記電磁弁ボックスに至る配管に残存するエアを大気に放出する電磁三方弁であることを特徴とする請求項３に記載のタンクローリの底弁異常動作検出装置。
【発明の詳細な説明】
【技術分野】
【０００１】
本発明は、例えば石油等の液体を輸送対象物として収容する複数のハッチにそれぞれ設けられた底弁の異常動作を検出するに好適なタンクローリの底弁異常動作検出装置に関する。
【背景技術】
【０００２】
従来、輸送対象物として石油等の液体を収容する複数のハッチを備えて構成されたタンクローリ車が広く使われている（例えば、特許文献１を参照）。このハッチは、特許文献１の図６に示されるように仕切り壁によってタンク内を複数の収容部に分割したものである。
この種のタンクローリ車には、複数のハッチの下方に共通配管が設けられている。これらハッチに収容された石油等の輸送対象物は、各ハッチの底部にそれぞれ設けられた底弁（例えば、特許文献２を参照）を開くことによって、その共通配管に輸送対象物を導き、ガソリンスタンド等に設けられた油種毎の地下タンクへそれぞれ荷下ろしされるようになっている。
【０００３】
より具体的に例えば、図７に示されるように複数のハッチ１を有するタンクローリ車２を牽引する牽引車３には、タンクローリ車のブレーキ装置を駆動する圧縮空気（エア）を蓄えるエアタンク４が備えられている。タンクローリ車２が、このエアタンク４に蓄えられたエアによって複数のハッチ１の下方にそれぞれ設けられた底弁５を開閉駆動するように構成されている場合、タンクローリ車２には、エアを複数の底弁５にそれぞれ分配供給する電磁弁ボックス６が設けられる。この電磁弁ボックス６は、牽引車３に備えられた制御装置（機器コントローラ）７から出力される弁開放の制御指令を受けて、底弁５に接続された管路（特に図示せず）にエアを送り込んで底弁５を開く一方、制御装置７が弁閉止の制御指令を出したときは、底弁５と管路との間のエアを排出する役割を担っている。
【０００４】
ちなみに底弁５には、この底弁５の開閉に連動して駆動され、底弁５が開いているときはハッチ１の上方に上昇するようにして突出する一方、底弁５が閉じているときは元の位置に下降して復帰するロッド８が設けられて底弁５の開閉状態を目視確認できるようになっている。
またこれらハッチ１にそれぞれ設けられた底弁５には、共通配管９が接続されている。この共通配管９は、底弁５から排出（荷下ろし）される輸送対象物を例えばガソリンスタンドの地下貯蔵タンク等に導くホース１０が接続される吐出口９ａを備える。そしてハッチ１に収容された輸送対象物は、吐出口９ａにホース１０の一端を接続し、その他端を地下タンク（特に図示せず）に至る地下タンク注入口に接続した後、底弁５を順次、開放／閉止することによって荷下ろしされる。
【０００５】
このような構成をとるタンクローリ車２において例えば複数のハッチ１に異なる種別の石油がそれぞれ収容されている場合、底弁５を適切に開かないと地下タンクに貯蔵すべき石油と異なる種別の石油が共通配管９に導かれ、地下タンクに異種の石油が荷下ろしされるという、いわゆる混油が生じる。そこで特許文献１に記載の輸送業務用携帯装置は、このような不具合を解決すべくなされたでものあって、簡易な構成でありながら混油を防止することを可能としている。
【特許文献１】特許第３３５４８３０号公報
【特許文献２】特開平９−３２８１８９号公報
【発明の開示】
【発明が解決しようとする課題】
【０００６】
しかしながら前述したタンクローリ車は、特許文献１に記載の輸送業務用携帯装置が適用されたとしても異なる種類の石油が収容されたハッチの底弁が同時に開いてしまうと混油が生じるという問題が発生する。或いは、同種の石油が収容された複数のハッチの底弁が同時に開いたときは、混油はないものの、荷下ろしした油量を適確に把握することが困難となり、それ故、地下タンク内の容量を超え、漏油を起こす懸念もあった。
【０００７】
本発明は、このような従来の問題点を解決するべくなされたもので、その目的とするところは、簡易な構造でありながら指定した複数の底弁が同時に開く異常動作を確実に検出し、混油等の不具合を防止するタンクローリの底弁異常動作検出装置を提供することにある。
【課題を解決するための手段】
【０００８】
上述した目的を達成するべく本発明に係るタンクローリの底弁異常動作検出装置は、石油等の液体の輸送対象物をその種別毎にそれぞれ収容する複数のハッチと、これらハッチの底部にそれぞれ設けられて、該ハッチに収容された前記輸送対象物をそれぞれ排出する複数の底弁と、これら底弁にそれぞれ所定の管路を介してそれぞれ接続されて、該底弁を開閉駆動するエアを蓄えるエアタンクと、複数の前記管路にそれぞれ介装されて、前記エアタンクに蓄えられたエアを複数の前記底弁に分配供給し、該底弁をそれぞれ開閉駆動する電磁弁ボックスと、複数の前記底弁の開閉にそれぞれ連動して駆動され、前記ハッチの上方から突出するように位置付けられて、該底弁が開状態にあるときそれぞれ突出する複数のロッドとを具備したタンクローリの底弁異常動作検出装置であって、
前記各ロッドの突出の有無をそれぞれ検出する複数の検出スイッチと、前記複数の検出スイッチにより少なくとも二つ以上の前記ロッドが突出していることが検出されたとき、前記底弁の開閉状態に異常があると判定する論理演算部とを備えることを特徴としている。
【０００９】
また本発明に係るタンクローリの底弁異常動作検出装置は、石油等の液体の輸送対象物をその種別毎にそれぞれ収容する複数のハッチと、これらハッチの底部にそれぞれ設けられて、該ハッチに収容された前記輸送対象物をそれぞれ排出する複数の底弁と、これら底弁にそれぞれ所定の管路を介して接続されて、該底弁を開閉駆動するエアを蓄えるエアタンクと、複数の前記管路にそれぞれ介装されて、前記エアタンクに蓄えられたエアを複数の前記底弁に分配供給し、該底弁をそれぞれ開閉駆動する電磁弁ボックスとを具備したタンクローリの底弁異常動作検出装置であって、
複数の前記管路にそれぞれ設けられて、前記底弁に供給されるエアの圧力が所定の圧力を超え、該底弁が開状態にあることを検出して出力する複数のエアスイッチと、これらエアスイッチにより少なくとも二つ以上の底弁を開放するエアが供給されていることが検出されたとき、前記底弁の開閉状態に異常があると判定する論理演算部とを備えることを特徴としている。
【００１０】
好ましくは上記タンクローリの底弁異常動作検出装置は、さらに前記エアタンクから前記電磁弁ボックスにエアを供給する管路に介装されて、前記論理演算部が前記底弁の開閉状態に異常があると判定したとき、該電磁弁ボックス供給するエアを遮断する遮断弁を備えることが望ましい。
より好ましくは前記遮断弁は、前記論理演算部が底弁に異常がないと判定したとき、前記エアタンクに蓄えられたエアを前記電磁弁ボックスに供給する一方、前記論理演算部が底弁に異常があると判定したとき、前記電磁弁ボックスに至る配管に残存するエアを大気に放出する電磁三方弁であることが望ましい。
【００１１】
上述のタンクローリの底弁異常検出装置は、例えばリミットスイッチや光電スイッチ等の検出スイッチによって底弁と連動するロッドの複数が突出したことが検出され、またはエアスイッチによって複数の底弁が開いたことが検出されたとき、論理演算部が底弁の開閉状態に異常があると判定し、遮断弁（三方弁）を閉じて電磁弁ボックスへのエアの供給を遮断すると共に、電磁弁ボックスから底弁に至る配管に残存するエアを大気に放出する。
【発明の効果】
【００１２】
本発明の請求項１に記載のタンクローリの底弁異常動作検出装置によれば、検出スイッチによってタンクローリ車に設けられた複数の底弁の開閉にそれぞれ連動して駆動されるロッドの状態を検出すると共に、論理演算部によって複数の底弁が開く開閉異常状態を検出することができる。
また本発明の請求項２に記載のタンクローリの底弁異常動作検出装置によれば、エアスイッチによって底弁の開閉状態を検出すると共に、論理演算部によって複数の底弁が開く開閉異常状態を検出することができる。
【００１３】
さらに本発明の請求項３に記載のタンクローリの底弁異常検出装置によれば、論理演算部によって複数の底弁が開いている状態が検出されたとき、エアタンクから電磁弁ボックスにエアを供給する管路に介装された遮断弁を閉じ、電磁弁ボックス供給するエアを遮断しているので複数の底弁が同時に開く開閉異常状態を防止することができる。
また本発明の請求項４に記載のタンクローリの底弁異常検出装置によれば、遮断弁を閉じて電磁弁ボックスへのエアの供給を遮断すると共に、電磁弁ボックスから底弁に至る配管に残存するエアを大気に放出しているので複数の底弁が同時に開く開閉異常状態に至ったとき、速やかにこれらの底弁を閉じることができるという実用上多大なる効果を奏する。
【発明を実施するための最良の形態】
【００１４】
以下、本発明の一実施形態に係るタンクローリの底弁異常検出装置について図面を参照しながら説明する。尚、図中、図７と同一の符号を付した部分は同一物を表し、基本的な構成は図に示す従来のものと同様である。また本発明は、これらの図面によって限定されるものではない。
さて図１は、タンクローリ車２の底弁５の開閉動作と連動して駆動され、底弁５が開いているときにはハッチ１の上方に上昇するようにして突出する一方、底弁５が閉じているときには元の位置に下降して復帰するロッド８を描いたものである。本発明の一実施形態に係るタンクローリ車の底弁異常検出装置は、このロッド８の軸心を挟むようにして配置されて、ロッド８の突出状態を検出する検出スイッチ２０を備える。この検出スイッチ２０は、ロッド８の軸心方向に光を投光する投光部２０ａおよびこの投光部２０ａから投稿された光を受光する受光部２０ｂを有する光電センサによって構成されている。
【００１５】
この検出スイッチ２０は、底弁５が開きロッド８がハッチ１の上方に突出しているとき、投光部２０ａから投光された光は、ロッド８によって遮られて受光部２０ｂに到達しない。一方、底弁５が閉じてロッド８が下降して復帰しているとき、投光部２０ａから投光された光は、このロッド８によって遮られることなく受光部２０ｂに到達する。したがって底弁５の開閉状態は、検出スイッチ２０により検出できる。
【００１６】
この検出スイッチ２０は、タンクローリ車２が有する複数のハッチ１の上方にそれぞれ取り付けられて、図２に示すように各ロッド８の突出状態、即ち複数の底弁５の開閉状態をそれぞれ検出する。そしてこれら検出スイッチ２０が各底弁５の開閉状態をそれぞれ検出して得られた検出信号は、複数の底弁５が同時に開状態であるか否かを判定する論理演算部３０に与えられる。
【００１７】
また複数の底弁５には、電磁弁ボックス６が有する複数の電磁弁６ａがそれぞれ接続され、コントロールボックス７の指令によってエアタンク４に蓄えられたエアが供給される。ちなみにこのコントロールボックス７は、シーケンサのほか、例えばＰＬＣやマイコン或いはリレーを用いた論理回路等から構成される。
尚、エアタンク４と電磁弁ボックス６とを接続する管路には、詳細は後述するが論理演算部３０が底弁５の開閉状態に異常がないと判定したとき、エアタンク４に蓄えられたエアを電磁弁ボックス６に供給する一方、論理演算部３０が底弁の開閉状態に異常があると判定したとき、電磁弁ボックス６に至る配管に残存するエアを大気に放出する電磁三方弁（遮断弁）１５が介装されている。
【００１８】
より具体的に前述した論理演算部３０は、例えば三つの検出スイッチ２０が同時に底弁５の開状態となっているか否かを判定する場合、例えば図３に示すような論理回路によって構成される。ここでは、理解をし易くするため三つの検出スイッチ２０におけるそれぞれの検出信号をＡ，Ｂ，Ｃとし、各検出スイッチ２０によってそれぞれのロッド８が突出していることが検出されたとき、即ち、底弁５が開いたことが検出スイッチ２０により検出されたとき、その検出スイッチ２０から論理［１］が出力される一方、ロッド８が下降して復帰したことが検出されたとき、即ち、底弁５が閉じたことを検出スイッチ２０が検出したとき論理［０］が出力されるものとする。
【００１９】
三つの２入力ＡＮＤ回路（ＡＮＤ１，ＡＮＤ２，ＡＮＤ３）は、それぞれ三つの検出スイッチ２０のうち、少なくとも二つの検出スイッチ２０が同時にオンしていることを検出する役割を担っている。つまりＡＮＤ１は、検出信号Ａ，Ｂが同時にオンを示したとき、ＡＮＤ２は、検出信号Ｂ，Ｃが同時にオンを示したとき、ＡＮＤ３は、検出信号Ｃ，Ａが同時にオンしたときそれぞれ論理［１］を出力する。これら二つの２入力ＡＮＤ回路（ＡＮＤ１，ＡＮＤ２，ＡＮＤ３）それぞれの出力は、３入力ＯＲ回路に入力され、いずれかのＡＮＤ回路の出力が論理［１］になったとき、その出力が論理［１］になる。つまり、このＯＲ回路の出力信号Ｆは、検出スイッチ２０によって底弁５が少なくとも二つ以上が同時にオンしていることを検出したとき論理［１］が出力される。そしてこの論理演算部３０の出力信号Ｆは、すべての底弁５を閉じる閉止指令の意味合いを持つ。
【００２０】
このような作動をする論理演算回路の一例を図４に示す。この回路は、各検出スイッチ２０が一対のメイク接点を有するスイッチであり、また四つの電磁リレーＸ，Ｙ，ＺおよびリレーＦにより構成される。
まずＡＮＤ１回路に相当する回路は、検出スイッチＡと検出スイッチＢの接点およびリレーＸの励磁コイルとを直列に接続して電源ラインＰと接地ラインＮとの間に接続する。同様にＡＮＤ２回路に相当する回路は、検出スイッチＢと検出スイッチＣの接点およびリレーＹの励磁コイルとを直列に接続し、ＡＮＤ３回路に相当する回路は、検出スイッチＣと検出スイッチＡの接点およびリレーＺの励磁コイルとを直列に接続してそれぞれ電源ラインＰと接地ラインＮとの間に接続する。
【００２１】
そして三つの電磁リレーＸ，Ｙ，Ｚの各メイク接点をそれぞれ並列に接続し、リレーＦの励磁コイルと直列に接続して電源ラインＰと接地ラインＮとの間に接続する。
するとリレーＦのメイク接点は、底弁５が少なくとも二つ以上が同時にオンしていることを検出したとき閉じることになる。したがってコントロールボックス７は、この接点が閉じたことをもって、上述した論理演算部３０の出力信号Ｆが論理［１］になったと認識すればよい。
【００２２】
そうしてコントロールボックス７は、論理演算部３０の出力信号Ｆが論理［１］であるとき、エアタンク４から電磁弁ボックス６に至る経路を閉じると共に、電磁弁ボックス６に至る配管内およびこの電磁弁ボックス６内に残留しているエアを大気に排出する経路に電磁三方弁１５を設定することで複数の底弁５が同時に開くことを防止する。
尚、電磁三方弁１５は、コントロールボックス７からの制御に代えて、図２の破線で示したように接続し、論理演算部３０から三方弁遮断信号が出力されたとき電磁三方弁１５を駆動するように構成してもよい。
【００２３】
また特に図示しないがコントロールボックス７による電磁三方弁１５の開閉制御以外にも例えば手動で電磁弁６aの開閉操作を行う開閉スイッチによってその開閉が制御されるように構成された場合であっても、図２に示した構成を流用して論理演算部３０の出力信号Ｆにより電磁三方弁１５を駆動するように構成してもよい。
要するに本発明は、電磁三方弁１５が論理演算部３０の出力信号Ｆが三方弁遮断信号を出力するとき電磁三方弁１５を駆動するように構成しているものであれば、電磁三方弁１５の開閉制御方法が限定されるものではない。
【００２４】
かくして本発明の一実施形態に係るタンクローリの底弁異常検出装置は、複数のハッチ１のそれぞれに設けられた底弁５の開閉状態をそれぞれ示すロッド８の状態を光電スイッチによる検出スイッチ２０によって検出し、複数の底弁５が同時に開いていることを論理演算部３０が検出したとき、電磁三方弁１５によってエアタンク４から電磁弁ボックス６に供給されるエアを遮断すると共に電磁弁ボックス６内に残留しているエアを大気に排出しているので、複数の底弁５が同時に開放されることがなく、それ故、指定した底弁５以外の底弁５が同時に開くことを禁止することができる。このため複数のハッチ１に異なる種類の石油等が収容されていた場合であっても、誤った底弁５が開かれることがなく混油を確実に防止することができ、また複数の底弁５が同時に開かないので、荷下ろしした油量を適確に把握でき、それ故、地下タンク内の容量を超える漏油を起こすこともない。
【００２５】
尚、上述した検出スイッチ２０は、光電スイッチに代えてロッド８の突出状態が検出できるものであり、例えばリミットスイッチや近接スイッチなどを用いて構成してもよい。
また論理演算部３０は、上述したリレーを用いて構成する以外にも、例えば図５に示すようにダイオードと抵抗器を組み合わせて構成してもよい。この回路は、三つのプルアップ抵抗器Ｒ１，Ｒ２，Ｒ３でそれぞれ一端が接地された三つの検出スイッチ２０（以下、検出スイッチＡ，Ｂ，Ｃと称する）の他端をプルアップする。そして、検出スイッチＡ，Ｂが同時にオン（底弁５が同時に開）したことを検出するため、二つのダイオードＤ１，Ｄ２のアノードをそれぞれプルアップされたスイッチＡ，Ｂにそれぞれ接続する一方、これらダイオードＤ１，Ｄ２のカソードをそれぞれ接続し、プルダウン抵抗器Ｒ４によってプルダウンする。このようにすることで負論理のＡＮＤ回路が構成される。そしてダイオードＤ１，Ｄ２のカソードにダイオードＤ３のアノードを接続する。
【００２６】
同様にスイッチＢ、ＣおよびスイッチＣ，Ａがそれぞれ同時にオン（底弁５が同時に開）したことを検出するためダイオードＤ４〜Ｄ９、プルダウン抵抗器Ｒ６，Ｒ７で論理回路を構成する。
そして、ダイオードＤ３，Ｄ６，Ｄ９の各アノードは、プルアップ抵抗器Ｒ５に接続される。このように接続することで負論理のＯＲ回路が形成される。したがって、この論理回路の出力Ｆは、少なくとも二つ以上の検出スイッチ２０が同時にオン（底弁５が同時に開）すると、出力Ｆの電位が低下（ローレベル）になる。コントロールボックス７は、この検出信号を受けたとき、上述したようにして電磁三方弁１５を駆動する。
【００２７】
このように構成された論理演算部３０は、リレーを用いることなく簡易に実現することができる。さらにこの論理演算部３０は、回路全体を樹脂モールドした筐体内に納めることで耐環境性を高めることができ、より好ましい。
次に本発明の別の実施形態に係るタンクローリの底弁異常検出装置について図６を参照しながら説明する。この別の実施形態が上述した実施形態と異なるところは、検出スイッチ２０に代え電磁弁ボックス６から複数の底弁５に至る管路に介装されて、各底弁５に供給されるエアの圧力を検出し、その圧力が所定の圧力を超えたとき底弁５が開いたことを検出し、所定の圧力を下回ったとき底弁５が閉じたことを検出するエアスイッチ２１を設けた点にある。
【００２８】
このように構成された本発明の別の実施形態に係るタンクローリの底弁異常検出装置は、底弁５を開けるとき電磁弁ボックス６内の各電磁弁６ａから底弁５に至る配管路を介してエアタンク４に蓄えられた高圧のエアが底弁５に送り込まれる。このとき複数の配管路にそれぞれ介装されたエアスイッチ２１は、所定圧力を超える高圧のエアを検出してオンする。
【００２９】
また底弁５を閉じるときは、電磁弁ボックス６から底弁５に至る配管路内のエアを配管路外に放出する。このときエアスイッチ２１は、所定圧力を下回る圧力を検出してオフする。つまりエアスイッチ２１は、底弁５が開くとオンし、底弁５が閉じるとオフする。そしてこれらのエアスイッチ２１は、上述した論理演算部３０にそれぞれ接続されて、同時に少なくとも二つ以上の底弁５が開いたとき、エアタンク４から電磁弁ボックス６に供給されるエアを遮断するとともに、電磁弁ボックス６に至る配管路内のエアを大気中に排出するべくコントロールボックス７に閉止指令を出力する。この閉止指令を受けたコントロールボックス７は、エアタンク４から電磁弁ボックス６に至る経路を閉じると共に、電磁弁ボックス６に至る配管内およびこの電磁弁ボックス６内に残留しているエアを大気に排出する経路に電磁三方弁１５を設定することで複数の底弁５が同時に開くことを防止する。
【００３０】
尚、電磁三方弁１５は、コントロールボックス７からの制御に代えて、図６の破線で示したように接続し、論理演算部３０から三方弁遮断信号が出力されたとき電磁三方弁１５を駆動するように構成してもよいし、特に図示しないがコントロールボックス７による電磁三方弁１５の開閉制御以外にも例えば手動で電磁弁６ａの開閉操作を行う開閉スイッチによってその開閉が制御されるように構成された場合であっても、図６に示した構成を流用して論理演算部３０の出力信号Ｆにより電磁三方弁１５を駆動するように構成してもよい。
【００３１】
つまり本発明は、電磁三方弁１５が論理演算部３０の出力信号Ｆが三方弁遮断信号を出力するとき電磁三方弁１５を駆動するように構成しているものであれば、電磁三方弁１５の開閉制御方法が限定されるものではない。
かくして本発明の別の実施形態に係るタンクローリの底弁異常検出装置は、エアスイッチ２１によって底弁５の開閉状態を検出すると共に、論理演算部３０によって複数の底弁５が開いている状態が検出されたとき、電磁三方弁１５を設定してエアタンク４から電磁弁ボックス６に至る経路を閉じると共に、電磁弁ボックス６に至る配管内およびこの電磁弁ボックス６内に残留しているエアを大気に排出しているので、複数の底弁５が同時に開放されることを禁止することができる。このため複数のハッチ１に異なる種類の石油等が収容されていた場合であっても、誤った底弁５が開かれることがなく混油を確実に防止することができ、また複数の底弁５が同時に開かないので、荷下ろしした油量を適確に把握でき、それ故、地下タンク内の容量を超える漏油を起こすこともない。
【００３２】
また本発明の別の実施形態に係るタンクローリの底弁異常検出装置は、エアスイッチ２１を電磁弁ボックス６の近傍に設ければ、簡便に実現できるという実用上多大なる効果を奏する。
尚、本発明のタンクローリの底弁異常動作検出装置は、上記した実施の形態に限定されるものではなく、本発明の要旨を逸脱しない範囲内において種々変更を加えてもかまわない。
【図面の簡単な説明】
【００３３】
【図１】底弁の開閉に連動するロッドの状態と、本発明の一実施形態に係るタンクローリの底弁異常動作検出装置における検出スイッチの取り付け様態の概略を示す図。
【図２】本発明の一実施形態に係るタンクローリの底弁異常動作検出装置の要部構成を示すブロック図。
【図３】図２に示す論理演算部の一例を示す回路図。
【図４】図３の論理演算部の具体的回路例を示した回路図。
【図５】図４の回路とは別の回路例を示した回路図。
【図６】本発明の別の実施形態に係るタンクローリの底弁異常動作検出装置の要部構成を示すブロック図。
【図７】タンクローリ車の概略構成を示す図。
【符号の説明】
【００３４】
１      ハッチ
２      タンクローリ車
３      牽引車
４      エアタンク
５      底弁
６      電磁弁ボックス
７      コントロールボックス（制御装置）
８      ロッド
１５    電磁三方弁
２０    検出スイッチ
３０    論理演算部
【図１】
2008174285.tif 000003
【図２】
2008174285.tif 000004
【図３】
2008174285.tif 000005
【図４】
2008174285.tif 000006
【図５】
2008174285.tif 000007
【図６】
2008174285.tif 000008
【図７】
2008174285.tif 000009